(57)【要約】【課題】本発明は、機械的強度を向上させ、軽量化や薄型もしくは電子機器への取り付け性等を向上させることの少なくとも一方を実現できる光ディスク装置を提供することを目的とする。【解決手段】筐体部１８，１９には主面部と主面部の端部に設けられた側面部とが設けられ、筐体部１８，１９の少なくとも一方の筐体部の少なくとも一対の側面部が近接する角部において、少なくとも一対の側面部が連続的に一体となった一体部４０を設けたので、筐体部１８，１９の角部３０において、側面部の撓みや変形などを防止でき、しかも主面部の機械的強度をも増すことができるので、対ショック性を向上させたり、小型軽量化するために筐体部の肉厚を薄くすることができる。【選択図】  図３
2004348821.tif 000002
【特許請求の範囲】
【請求項１】
一対の筐体部を互いに固定して構成された筐体と、媒体を回転させる駆動手段，光学系部材を搭載した光ピックアップモジュール，制御部を構成する回路部とを備えた光ディスク装置であって、一対の筐体部の少なくとも一方の筐体部には主面部と前記主面部の端部に設けられた側面部とが設けられ、前記一対の筐体部の少なくとも一方の筐体部の少なくとも一対の側面部が近接する角部において、前記少なくとも一対の側面部が連続的に一体となった一体部を設けたことを特徴とする光ディスク装置。
【請求項２】
角部の全てが一体部となっていることを特徴とする請求項１記載の光ディスク装置。
【請求項３】
角部には一対の側面部が非接続となっている非接続部と一対の側面部が一体に接続されている一体部とを設けたことを特徴とする請求項１記載の光ディスク装置。
【請求項４】
主面部側から非接続部，一体部の順に設けられたことを特徴とする請求項３記載の光ディスク装置。
【請求項５】
主面部側から一体部，非接続部の順で設けられたことを特徴とする請求項３記載の光ディスク装置。
【請求項６】
主面部側から第１の非接続部，一体部，第２の非接続部の順に設けられたことを特徴とする請求項３記載の光ディスク装置。
【請求項７】
一対の筐体部の少なくとも一方を絞り加工で形成したことを特徴とする請求項１記載の光ディスク装置。
【請求項８】
一体部の外表部はＣ面状或いは曲面状であることを特徴とする請求項１記載の光ディスク装置。
【請求項９】
一対の筐体部を互いに固定して構成された筐体と、媒体を回転させる駆動手段，光学系部材を搭載した光ピックアップモジュール，制御部を構成する回路部とを備えた光ディスク装置であって、一対の筐体部の少なくとも一方の筐体部を絞り加工で構成したことを特徴とする光ディスク装置。
【発明の詳細な説明】
【０００１】
【発明の属する技術分野】
本発明は、パーソナルコンピュータなどの電子機器に搭載され、更に好ましくは、モバイル型の電子機器に搭載されるのに好ましい光ディスク装置に関するものである。
【０００２】
【従来の技術】
従来のコンピュータ本体内蔵タイプの光ディスク装置は、装置全体が筐体に収められた構造になっており、これをコンピュータ本体のスペースに組み込むことによって取り付けられるのが一般的であった。取り付け部は筐体に有り、ここでコンピュータ本体に取り付けられていた。
【０００３】
図８は従来の光ディスク装置の構成を示す斜視図である。１は光ピックアップ、２はメインシャフト、３はサブシャフト、４はスピンドルモータ、５はベース、６は光ピックアップモジュール（ＰＵＭ）、７はトレイ、８はキャリッジ、９はレール、１０は筐体、１１は光ディスク装置、１２は光ディスク装置側の取り付けネジ穴、１３は制御回路等を構成する回路基板、１４はフレームである。
【０００４】
図９は従来の光ディスク装置における携帯用電子機器への取り付け方法を示す図である。１５は携帯用電子機器、１６は取り付けに介在させるアタッチメント、１７はアタッチメント側取り付け穴である。
【０００５】
図８において、光ピックアップ１はメインシャフト２、サブシャフト３をガイドとしてスピンドルモータ４の径方向に動きながらスピンドルモータ部に取り付けられたディスクのデータの読み込みや書き込みを行なう。メインシャフト２、サブシャフト３はベース５に取り付けられ、全体として光ピックアップモジュール６を形成する。光ピックアップモジュール６はトレイ７に固定される。トレイ７はレール９によって筐体１０に対してスライドするようになっている。トレイ７は、光ディスク着脱時には筐体１０から引き出され、データの読み書き時には筐体１０の中に収められる。また、制御回路等を構成する回路基板１３はトレイまたは筐体の少なくとも一方に取り付けられている。以上の構成にて、全体として携帯用電子機器内蔵タイプの光ディスク装置１１が形成されている。
【０００６】
図９において、光ディスク装置１１本体の筐体１０にはコンピュータ本体へ取り付ける取り付けネジ穴１２が設けられている。携帯用電子機器１５には取り付けに介在させるアタッチメント１６が有り、アタッチメント側取り付け穴１７と光ディスク装置側の取り付けネジ穴１２間をネジ止めし、アタッチメント１６を携帯用電子機器１５に装着する事によって光ディスク装置を装着固定する。
【０００７】
従来のディスク装置においては、筐体１０は以上に示したように、光ピックアップモジュール６やスピンドルモータ４等を装着したトレイ７をレール９を介して位置決めする働きとともに、光ディスクを携帯用電子機器１５に固定する働きを有していた。光ディスク装置の薄型化も基本的にこの構造にて対応がなされていた。
【０００８】
先行例としては、（特許文献１）（特許文献２）等がある。
【０００９】
【特許文献１】
特開平８−１７１７８６号公報
【特許文献２】
特開平７−２０１０４４号公報
【００１０】
【発明が解決しようとする課題】
光ディスク装置自体を更に軽量化或いは薄型化の少なくとも一方を実現する場合には、金属板などで構成される筐体１０の肉厚を薄くする方法が考えられる。
【００１１】
しかしながら、筐体１０の肉厚を薄くすると、当然のことながら機械的強度が低下し、外力によって、光ディスク装置自体にひずみや変形が生じやすく、電子機器などに取り付ける場合には、取り付け強さなどを非常に精度良く管理しながら行わなければならない。すると、電子機器の組み立てに時間を要し生産性が悪くなるという問題点があった。
【００１２】
図１０は、光ピックアップモジュール６が搭載されている筐体１０の一方の筐体部１０ａのみを示した斜視図であり、筐体部１０ａは、主面部１０ｂとその主面部１０ｂに対して同一方向に略垂直に曲げられた側面部１０ｃで構成されている。図１１は、筐体部１０ａの角部の拡大図であるが、従来の構成では、側面部１０ｃは主面部１０ｂから折り曲げられているので、角部にはスリット１０ｄが形成される構造となり、上述の様に、軽量化などのために筐体部１０ａの肉厚を薄くすると、特にこの筐体部１０ａの角部においてスリット１０ｄが主面部１０ａまで形成されるために、側面部１０ｃが変形しやすく、しかも主面部１０ａの変形なども容易に発生していた。
【００１３】
本発明は、上記従来の課題を解決するもので、機械的強度を向上させ、軽量化や薄型もしくは電子機器への取り付け性等を向上させることの少なくとも一方を実現できる光ディスク装置を提供することを目的とする。
【００１４】
【課題を解決するための手段】
本発明は、一対の筐体部を互いに固定して構成された筐体と、媒体を回転させる駆動手段，光学系部材を搭載した光ピックアップモジュール，制御部を構成する回路部とを備えた光ディスク装置であって、一対の筐体部の少なくとも一方の筐体部には主面部と主面部の端部に設けられた側面部とが設けられ、一対の筐体部の少なくとも一方の筐体部の少なくとも一対の側面部が近接する角部において、少なくとも一対の側面部が連続的に一体となった一体部を設けた。
【００１５】
【発明の実施の形態】
請求項１記載の発明は、一対の筐体部を互いに固定して構成された筐体と、媒体を回転させる駆動手段，光学系部材を搭載した光ピックアップモジュール，制御部を構成する回路部とを備えた光ディスク装置であって、一対の筐体部の少なくとも一方の筐体部には主面部と前記主面部の端部に設けられた側面部とが設けられ、前記一対の筐体部の少なくとも一方の筐体部の少なくとも一対の側面部が近接する角部において、前記少なくとも一対の側面部が連続的に一体となった一体部を設けたことを特徴とする光ディスク装置であり、筐体部の角部において、側面部の撓みや変形などを防止でき、しかも主面部の機械的強度をも増すことができるので、対ショック性を向上させたり、小型軽量化するために筐体部の肉厚を薄くすることができる。
【００１６】
請求項２記載の発明は、角部の全てが一体部となっていることを特徴とする請求項１記載の光ディスク装置であり、極めて高い機械的強度を得ることができる。
【００１７】
請求項３記載の発明は、角部には一対の側面部が非接続となっている非接続部と一対の側面部が一体に接続されている一体部とを設けたことを特徴とする請求項１記載の光ディスク装置であり、加工などの際に、非接続部で応力などを緩和できる。
【００１８】
請求項４記載の発明は、主面部側から非接続部，一体部の順に設けられたことを特徴とする請求項３記載の光ディスク装置であり、側面部の主面部側と反対側の端部のたわみや変形を抑えることができる。
【００１９】
請求項５記載の発明は、主面部側から一体部，非接続部の順で設けられたことを特徴とする請求項３記載の光ディスク装置であり、主面部側に一体部を設けているので、特に主面部の機械的強度を向上させることができる。
【００２０】
請求項６記載の発明は、主面部側から第１の非接続部，一体部，第２の非接続部の順に設けられたことを特徴とする請求項３記載の光ディスク装置であり、主面部及び側面部の双方を効果的に機械的強度を向上させることができる。
【００２１】
請求項７記載の発明は、一対の筐体部の少なくとも一方を絞り加工で形成したことを特徴とする請求項１記載の光ディスク装置とすることで、容易に一体部を形成でき、生産性が向上する。
【００２２】
請求項８記載の発明絵は、一体部の外表部はＣ面状或いは曲面状であることを特徴とする請求項１記載の光ディスク装置であり、電子機器などに搭載する際に電子機器内の部材に傷をつけたり、あるいは、電子機器に搭載する際に、引っかかったりすることを防止でき、組み立て性を向上させることができる。
【００２３】
請求項９記載の発明は、一対の筐体部を互いに固定して構成された筐体と、媒体を回転させる駆動手段，光学系部材を搭載した光ピックアップモジュール，制御部を構成する回路部とを備えた光ディスク装置であって、一対の筐体部の少なくとも一方の筐体部を絞り加工で構成したことを特徴とする光ディスク装置であり、別途部材を設けることなく、筐体部の機械的強度を向上させることができたり、あるいは、複数の工程で、側面部を折り曲げたりする必要が無く、生産性が向上する。
【００２４】
以下、本発明における光ディスク装置の実施の形態について説明する。
【００２５】
図１，図２はそれぞれ本発明の一実施の形態における光ディスク装置の構成を示す斜視図及び携帯用電子機器への取り付け方法を示す図である。１は光ピックアップ、２はメインシャフト、３はサブシャフト、４はスピンドルモータ、５はベース、６はピックアップモジュール（ＰＵＭ）、７はトレイ、８はキャリッジ、９はレール、１０は筐体、１１は光ディスク装置、１２は光ディスク装置側の取り付けネジ穴、１３は制御回路等を構成する回路基板、１４はフレーム、１５は携帯用電子機器、１６は取り付けに介在させるアタッチメント、１７はアタッチメント側取り付け穴である。これら構成は従来の技術と同じであるので説明は省略する。
【００２６】
以下本発明の特徴部分について、説明する。
【００２７】
筐体１０は、筐体部１８，１９を組み合わせて構成されており、筐体部１８，１９には、それぞれトレイ７と対向する方形状の主面部１８ａ，１９ａとその主面の周縁部に設けられ同一方向に立設された側面部１８ｂ〜１８ｄ，１９ｂ〜１９ｄがそれぞれ設けられている。側面部１８ｂと側面部１９ｂは重なり合って筐体１０の奥面部１０ｃを形成しており、側面部１８ｃ，１９ｃは重なって筐体１０の一方の側面部１０ａを形成しており、側面部１８ｄ，１９ｄは重なって他方の側面部１０ｂを形成している。
【００２８】
筐体部１８，１９は金属板を曲げ加工などを施すことによって、各主面部及び各側面部を一体に構成しており、しかも筐体部１８，１９はそれぞれ鉄，鉄合金，アルミ，アルミ合金，マグネシウム合金などの金属材料で構成されている。なお、筐体部１８，１９はその表面に耐食性などを向上させるために鍍金膜等を設けることができる。
【００２９】
筐体部１８には、記録或いは再生の少なくとも一方の信号系を制御する回路基板１３が取り付けられており、しかもレール９を移動自在に保持するレール取り付け部（図示せず）が固定されている。
【００３０】
一般に筐体部１８と筐体部１９を組み立てて筐体１０とする場合には、筐体部１８，１９をはめ合わせて、トレイ７が出没する開口が形成されるように筐体１０が組み立てられる。この時筐体部１９の側面部１９ｂ〜１９ｄは筐体部１８の側面部１８ｂ〜１８ｄよりも外方に位置するように筐体部１８，１９ははめあわされている。このとき、側面部１０ｂにおいては、段差１０ｄを設けて他の部分よりも狭くなっているので、側面部１８ｄは側面部１９ｄでほぼ覆われてしまい、図１では、ほとんど表出していない。また、側面部１０ａにおいては、側面部１８ｃの上端部が側面部１９ｃで覆われており、側面部１０ａは側面部１８ｃ，１９ｃで構成されている。奥面部１０ｃも同様に側面部１８ｂの上端部が側面部１９ｃで覆われており、側面部１０ａは側面部１８ｃ，１９ｃで構成されている。
【００３１】
また、光ディスク装置１１自体の軽量化を行うように、筐体部１８，１９の少なくとも一方の厚みを薄くなるように構成した。
【００３２】
また、筐体部１８，１９をはめ合わせて互いを固定する場合には、ねじなどの固定手段を用いて両者を互いに強固に固定する。
【００３３】
本実施の形態では、筐体部１８，１９の少なくとも一方を絞り加工で構成したことを特徴とする。すなわち、従来のように各側面部を主面部に対して、折り曲げて構成せず、絞り加工にて筐体部１８，１９を構成することで、筐体部１８，１９のそれぞれの角部で隣接する側面部がスリット部（非接合部）を介さず直接・一体的に接合された部分を設けた構成とした。従来、筐体部の角部において、側面部が隣接する部分の全てにスリット部（非接合部）が設けられていたため、側面部及び主面部の変形やひずみなどが発生しやすかったが、本実施の形態の様に、絞り加工などによって、筐体部１８，１９の少なくとも一方を構成し、筐体部１８，１９の角部において、隣接する側面部同士に連続した一体部分を設けているので、その一体部分が側面部同士を強固に固定しているので、側面部の機械的強度が飛躍的に向上し、しかも側面部につながる主面部の機械的強度も飛躍的に向上する。
【００３４】
以下、具体的な構成について、図を用いて説明する。
【００３５】
なお、筐体部１８を例にとって説明する。
【００３６】
図３に示すように角部３０において、側面部１８ｂ，１８ｄが連続して設けられた一体部４０が設けられている。また、角部３０には、主面部１８ａ側から順に一体部４０とスリット部４１（非接合部）が設けられている。この一体部４０は板金に絞り加工などを施すことで容易に形成できる。この一体部４０を設けることで、側面部１８ｂ，１８ｄは一体構成となり、側面部１８ｂ，１８ｄそれぞれの機械的強度は飛躍的に向上する。すなわち、図３に示す矢印Ａ方向に側面部１８ｂ，１８ｄに外力が加わったとしても、一体部４０で強固に結合しているので、矢印Ａ方向には側面部１８ｂ，１８ｄには撓みにくく変形しにくいとともに、主面部１８ａも側面部１８ｂ，１８ｄが撓みにくいので、変形しにくい。また、一体部４０の形成高さｔ２は角部３０の高さｔ１としたときに以下の関係を満たすことが好ましい。すなわち、ｔ２／ｔ１＞０．２となるように一体部４０を設けることが好ましい。０．２以下であると、一体部４０による側面部１８ｂ，１８ｄの十分機械的強度が得られないことがある。
【００３７】
また、他の実施の形態として、図４に示すように、角部３０の全体を一体部４０とする構成である。この構成によれば、確実に側面部１８ｂ，１８ｄの機械的強度を向上させることができ、しかも主面部１８ａの強度も非常に大きくできる。
【００３８】
また、他の実施の形態として、図５に示すように、主面部１８ａ側からスリット部４１（非接合部），一体部４０が順に設けられた構成でも良い。この場合、図３に示した実施の形態と比較すると、側面部１８ｂ，１８ｄの上端部分に一体部４０が設けられているので、側面部１８ｂ，１８ｄは非常に撓みに強くなり、機械的強度が極めて向上する。なお、この場合、ｔ２／ｔ１＞０．０５の関係であれば十分な強度を得ることができる。
【００３９】
最後に図６に示すように、主面部１８ａ側からスリット部４１（非接合部），一体部４０，スリット部４２（非接合部）の順に設けられる構成でも良い。この場合、ｔ２／ｔ１＞０．１の関係でも十分な機械的強度を得ることができる。
【００４０】
以上の様に、図３〜図６に示す実施の形態を仕様などに応じて、適宜採用することができる。
【００４１】
なお、本実施の形態では、筐体部１８の角部の全てに上記一体部４０を設けたが、一部の角部に設けても良い。或いは筐体部１８には一体部４０を設けず、筐体部１９の全て或いは一部の角部に一体部４０を設けても良い。最も好ましいのは、筐体部１８，１９の全ての側面部が隣接する角部に一体部４０を設けることで、極めて機械的強度の高い光ディスク装置を提供できる。
【００４２】
絞り加工或いは深絞り加工などの加工によって、一体部４０は容易に形成でき、この一体部４０を設けることで、軽量化などを行う際には、筐体部１８，１９の肉厚を薄くすることが有効な手段の一つであるが、この様に筐体部１８，１９に肉厚を薄くすると、筐体１０自体の機械的強度が極めて弱くなり、不具合が生じてしまうので、上述の様に、一体部４０を設けることで、筐体部１８，１９の少なくとも一方を軽量化などのために肉厚を薄くしても、側面部の撓みなどをよく背で気、ひいては主面部１８ａ，１９ａのたわみや変形を低減できる。すなわち、軽量化された光ディスク装置を提供できる。また、現在では、本実施の形態のような薄型の光ディスク装置はしばしばノートブックパソコン等のモバイル製品に搭載されるので、光ディスク装置としても非常に大きな耐ショック性が求められる。従って、筐体部１８，１９の軽量化を行わない場合でも、上記の様に一体部４０を筐体部１８，１９の少なくとも一方の角部に設けることで、非常に筐体１０の機械的強度が向上し、耐ショック性を極めて大きくできる。
【００４３】
また、上述の通り、絞り加工などで、一体部４０ができるような構成にすると、一体部４０は比較的Ｃ面状あるいは曲面状となるように構成できるので、光ディスク装置を電子機器などに挿入したりする際に、筐体１０の角部が電子機器の他の部分に接触しても上述の様に角部が丸くなっているので、他の部材を傷つけたり、あるいは引っかかったりして、電子機器などへの挿入を阻害することを防止できる。
【００４４】
次に絞り加工の一例について図３に示す構造を作製する方法を例示して説明する。
【００４５】
図７（ａ）に示すように、金属板５０の角部に切欠き部５０ａを設け、しかも雄型５２の外周部が当接する部分を点線５１で示している。切欠き部５０ａは図３で示すスリット部４１となり、点線５１と切欠き部５０ａとの間の部分５０ｂが一体部４０となる。図７（ｂ）は金属板５０の断面であり、図７（ｃ）に示すように、雄型５２と断面が略Ｌ字型の雌型５３の間に金属板５０を挟みこんで、絞り加工を行う。絞り加工の後に、他の部分の曲げ加工や穿孔処理などを行って筐体部１８を形成する。筐体部１９も同様に構成する。
【００４６】
【発明の効果】
本発明は、一対の筐体部を互いに固定して構成された筐体と、媒体を回転させる駆動手段，光学系部材を搭載した光ピックアップモジュール，制御部を構成する回路部とを備えた光ディスク装置であって、一対の筐体部の少なくとも一方の筐体部には主面部と主面部の端部に設けられた側面部とが設けられ、一対の筐体部の少なくとも一方の筐体部の少なくとも一対の側面部が近接する角部において、少なくとも一対の側面部が連続的に一体となった一体部を設けたので、筐体部の角部において、側面部の撓みや変形などを防止でき、しかも主面部の機械的強度をも増すことができるので、対ショック性を向上させたり、小型軽量化するために筐体部の肉厚を薄くすることができる。
【図面の簡単な説明】
【図１】本発明の一実施の形態における光ディスク装置の構成を示す斜視図
【図２】本発明の一実施の形態における光ディスク装置における携帯用電子機器への取り付け方法を示す図
【図３】本発明の一実施の形態における光ディスク装置の部分拡大図
【図４】本発明の一実施の形態における光ディスク装置の部分拡大図
【図５】本発明の一実施の形態における光ディスク装置の部分拡大図
【図６】本発明の一実施の形態における光ディスク装置の部分拡大図
【図７】本発明の一実施の形態における光ディスク装置の筐体部を作製する工程を示す図
【図８】従来の光ディスク装置の構成を示す斜視図
【図９】従来の光ディスク装置における携帯用電子機器への取り付け方法を示す図
【図１０】従来の光ディスク装置の筐体部を示す斜視図
【図１１】従来の光ディスク装置の筐体部を示す部分拡大図
【符号の説明】
６  光ピックアップモジュール（ＰＵＭ）
７  トレイ
１０  筐体
１８，１９  筐体部
１８ａ，１９ａ  主面部
１８ｂ、１８ｃ，１８ｄ，１９ｂ，１９ｃ，１９ｄ  側面部
３０  角部
４０  一体部
４１  スリット部
【図１】
2004348821.tif 000003
【図２】
2004348821.tif 000004
【図３】
2004348821.tif 000005
【図４】
2004348821.tif 000006
【図５】
2004348821.tif 000007
【図６】
2004348821.tif 000008
【図７】
2004348821.tif 000009
【図８】
2004348821.tif 000010
【図９】
2004348821.tif 000011
【図１０】
2004348821.tif 000012
【図１１】
2004348821.tif 000013